(57)【要約】【課題】  賞球払出経路を構成する部品点数を削減して組立性及びメンテナンス性を向上することができるパチンコ機を得る。【解決手段】  パチンコ機の内枠１４裏面に設けられる賞球払出装置８６を貯留タンク８０に隣接させて配置し、賞球払出装置８６の下方には、賞球を払い出す球通路９８及び貯留タンク８０の球抜きに用いる球抜き通路１９０をユニット化させた球通路ユニット９０をプラスチックファスナー９２によって着脱可能に取り付ける。これにより、賞球を賞球排出口へ案内するための球通路を１つにできるとともに、分割構成された２つの球通路を取り付ける取付ベース等が不要になって賞球払出経路を構成する部品の数が削減され、組立性及びメンテナンス性が向上する。【選択図】        図５
2005218688.tif 000002
【特許請求の範囲】
【請求項１】
パチンコ機本体の裏面上部に設けられ、外部から供給された遊技球を貯留する球貯留部材と、
前記球貯留部材に隣接して設けられ、球貯留部材から供給された遊技球を払い出す又は払い出し停止する球払出手段と、
前記球払出手段の下方に配置され、球払出手段から払い出された遊技球を受け入れて下方へ案内するとともに前記パチンコ機本体の下部に設けられた球排出口へ排出する球通路を備えた球通路部材と、
前記球通路部材を前記パチンコ機本体の裏面に着脱可能に取り付ける取付手段と、
を有することを特徴とするパチンコ機。
【請求項２】
前記球通路部材は、前記球通路を複数有することを特徴とする請求項１記載のパチンコ機。
【請求項３】
複数の前記球通路が前記パチンコ機本体の奥行き方向に沿って配置されていることを特徴とする請求項２記載のパチンコ機。
【請求項４】
前記球通路部材は、前記球貯留部材に貯留されている遊技球を抜き出す球抜き通路を有することを特徴とする請求項１〜請求項３の何れか１項記載のパチンコ機。
【請求項５】
前記球抜き通路が前記球通路よりも前記球貯留部材側に配置されていることを特徴とする請求項４記載のパチンコ機。
【請求項６】
パチンコ機本体の裏面上部に設けられ、外部から供給された遊技球を貯留する球貯留部材と、
前記球貯留部材に隣接配置され、球貯留部材から供給された遊技球を払い出す又は払い出し停止する球払出手段と、
前記球払出手段の下方に前記パチンコ機本体の奥行き方向に沿って複数配置され、球払出手段から払い出された遊技球を受け入れて下方へ案内するとともに前記パチンコ機本体の下部に設けられた球排出口へ排出する球通路と、
を有することを特徴とするパチンコ機。
【請求項７】
球貯留部材に貯留されている遊技球を抜き出す球抜き通路が前記複数の球通路よりも前記球貯留部材側に配置されていることを特徴とする請求項６記載のパチンコ機。
【発明の詳細な説明】
【技術分野】
【０００１】
本発明は、パチンコ機に係り、詳細には、貯留タンクに貯留された遊技球を賞球排出口へ案内するための球通路を備えたパチンコ機に関する。
【背景技術】
【０００２】
遊技盤に設けられた遊技領域に遊技球を打ち込んで遊技を行うパチンコ機では、機器の裏面に裏機構（通路構造体）を設け、この裏機構の上部に賞球（遊技球）を貯留する貯留タンクを配置し、裏機構の中央部の一側寄りに貯留タンクから供給された賞球を賞球排出口へ払い出す賞球払出装置を配置するとともに、貯留タンクと賞球払出装置との間、及び賞球払出装置と賞球排出口との間にはそれぞれ球通路を設けることで賞球払出経路を構成している（例えば、特許文献１参照）。
【０００３】
また、賞球払出装置から賞球排出口へ賞球を案内する上記の球通路と、賞球払出装置の遊技球を抜き取る球抜き通路とをユニット化して裏機構に着脱可能とすることにより、組み立て作業を簡略化するようにしたパチンコ機もある（例えば、特許文献２参照）。
【特許文献１】特開２００２−３５３４３号公報
【特許文献２】特開２０００−７０４９４号公報
【発明の開示】
【発明が解決しようとする課題】
【０００４】
しかしながら、上記特許文献１及び２のパチンコ機では、賞球払出装置の上下に分割して配置される２つの球通路、及び、各球通路と賞球払出装置の取付ベースとなる裏機構を設けていることにより、部品点数が多く組み立て作業に時間が掛かる。また、球詰まりなどのトラブルを解消する際やメンテナンスにおいても、部品点数が多いことにより各部品の着脱に時間を要する問題がある。
【０００５】
一方、近年のパチンコ機では、遊技性を高めるため遊技領域に配置する液晶表示装置や各種役物等を大型化させる傾向にあり、遊技盤の裏面には、液晶表示装置のドライバや制御基板、役物を駆動する電気的駆動源等の各種部品を搭載するためのより大きなスペースを確保する必要がある。しかし、これについても、特許文献１及び２のパチンコ機では、賞球払出装置が遊技盤裏面の側方に配置されるとともに、賞球払出装置の上下に配置された各球通路に設けられる複数列の通路がパチンコ機の幅方向に並列的に配置されているため、遊技盤裏面の側方における賞球払出経路の占有面積が大きく、遊技盤裏面の部品搭載スペースを拡大しにくいという問題がある。
【０００６】
本発明は上記事実を考慮して、賞球払出経路を構成する部品点数を削減して組立性及びメンテナンス性を向上することができるパチンコ機を提供することを課題とする。また、遊技盤裏面の部品搭載スペースを拡大することができるパチンコ機を提供することを課題とする。
【課題を解決するための手段】
【０００７】
上記目的を達成するために請求項１に記載の発明は、パチンコ機本体の裏面上部に設けられ、外部から供給された遊技球を貯留する球貯留部材と、前記球貯留部材に隣接して設けられ、球貯留部材から供給された遊技球を払い出す又は払い出し停止する球払出手段と、前記球払出手段の下方に配置され、球払出手段から払い出された遊技球を受け入れて下方へ案内するとともに前記パチンコ機本体の下部に設けられた球排出口へ排出する球通路を備えた球通路部材と、前記球通路部材を前記パチンコ機本体の裏面に着脱可能に取り付ける取付手段と、を有することを特徴としている。
【０００８】
請求項１に記載の発明では、パチンコ機本体の裏面上部に設けられた球貯留部材に外部から遊技球が供給され、この球貯留部材に貯留された遊技球は、球貯留部材から、球貯留部材に隣接して設けられた球払出手段に供給される。さらに、球払出手段によって払い出された遊技球は、球払出手段の下方に配置された球通路部材の球通路に受け入れられて下方へ案内され、パチンコ機本体の下部に設けられた球排出口へ排出される。また、球通路部材は、取付手段によってパチンコ機本体の裏面に着脱可能に取り付けられる。
【０００９】
このように、球払出手段を球貯留部材に隣接させて配置することにより、遊技球を球排出口へ案内するための球通路を１つにできるとともに、従来のように、分割構成された２つの球通路を取り付ける取付ベース（裏機構）等が不要になる。これにより、賞球払出経路を構成する部品の数が削減され、組立性及びメンテナンス性を向上することができる。さらに、球通路部材は取付手段によって容易に着脱できるため、組立性及びメンテナンス性がより良好になる。
【００１０】
また、球払出手段は、パチンコ機本体の裏面上部に配置された球貯留部材に隣接して設けられるため、パチンコ機本体の裏面においては、遊技盤裏面の側方に空きスペースが生じる。これにより、遊技盤裏面の部品搭載スペースを拡大することができる。
【００１１】
請求項２に記載の発明は、請求項１記載のパチンコ機において、前記球通路部材は、前記球通路を複数有することを特徴としている。
【００１２】
請求項２に記載の発明では、球通路部材が球通路を複数有することにより、球払出手段から払い出された遊技球をその複数の球通路によって短時間により多く払い出すことができる。これにより、大量の遊技球を払い出す場合などに、その払い出しが完了する（遊技者が取得する）までの時間を短縮できる。
【００１３】
請求項３に記載の発明は、請求項２記載のパチンコ機において、複数の前記球通路が前記パチンコ機本体の奥行き方向に沿って配置されていることを特徴としている。
【００１４】
請求項３に記載の発明では、複数の球通路をパチンコ機本体の奥行き方向に沿って配置することにより、複数の球通路をパチンコ機本体の幅方向に並列的に配置する場合に比べて、パチンコ機本体の裏面における球通路の占有面積を縮小できる。これにより、遊技盤裏面の部品搭載スペースを更に拡大することができる。
【００１５】
請求項４に記載の発明は、請求項１〜請求項３の何れか１項記載のパチンコ機において、前記球通路部材は、前記球貯留部材に貯留されている遊技球を抜き出す球抜き通路を有することを特徴としている。
【００１６】
請求項４に記載の発明では、球通路部材に球抜き通路を設けることにより、球抜き通路を別体とする場合に比べて、部品点数が削減され組立性及びメンテナンス性を更に向上することができる。
【００１７】
請求項５に記載の発明は、請求項４記載のパチンコ機において、前記球抜き通路が前記球通路よりも前記球貯留部材側に配置されていることを特徴としている。
【００１８】
請求項５に記載の発明では、球通路部材に設ける球抜き通路を球通路よりも球貯留部材側に配置することにより、球貯留部材に貯留された遊技球の排出経路を球払出手段側から球抜き通路側へ切り替える切替機構や分岐通路等の構成を簡素化できる。
【００１９】
請求項６に記載の発明は、パチンコ機本体の裏面上部に設けられ、外部から供給された遊技球を貯留する球貯留部材と、前記球貯留部材に隣接配置され、球貯留部材から供給された遊技球を払い出す又は払い出し停止する球払出手段と、前記球払出手段の下方に前記パチンコ機本体の奥行き方向に沿って複数配置され、球払出手段から払い出された遊技球を受け入れて下方へ案内するとともに前記パチンコ機本体の下部に設けられた球排出口へ排出する球通路と、を有することを特徴としている。
【００２０】
請求項６に記載の発明では、パチンコ機本体の裏面上部に設けられた球貯留部材に外部から遊技球が供給され、この球貯留部材に貯留された遊技球は、球貯留部材から、球貯留部材に隣接して設けられた球払出手段に供給される。さらに、球払出手段によって払い出された遊技球は、球払出手段の下方に配置された複数の球通路に受け入れられて下方へ案内され、パチンコ機本体の下部に設けられた球排出口へ排出される。
【００２１】
このように、球払出手段を球貯留部材に隣接させて配置することにより、遊技球を球排出口へ案内するための球通路を１つにできるため、例えばパチンコ機本体の裏面に設けられる取付ベース等に球通路をネジ止め等によって取り付ける場合でも、従来のように、分割構成された２つの球通路を取り付ける場合に比べて組立性が良好になる。
【００２２】
また、球払出手段から払い出された遊技球を複数の球通路によって短時間により多く払い出すことができるため、大量の遊技球を払い出す場合などにその払い出しが完了するまでの時間を短縮できるとともに、その複数の球通路をパチンコ機本体の奥行き方向に沿って配置することにより、パチンコ機本体の裏面における球通路の占有面積を縮小することができて、遊技盤裏面の部品搭載スペースを拡大することができる。
【００２３】
請求項７に記載の発明は、請求項６記載のパチンコ機において、球貯留部材に貯留されている遊技球を抜き出す球抜き通路が前記複数の球通路よりも前記球貯留部材側に配置されていることを特徴としている。
【００２４】
請求項７に記載の発明では、球通路部材に設ける球抜き通路を複数の球通路よりも球貯留部材側に配置することにより、球貯留部材に貯留された遊技球の排出経路を球払出手段側から球抜き通路側へ切り替える切替機構や分岐通路等の構成を簡素化できる。
【発明の効果】
【００２５】
本発明のパチンコ機は上記構成としたので、賞球払出経路を構成する部品点数を削減して組立性及びメンテナンス性を向上することができる。また、遊技盤裏面の部品搭載スペースを拡大することができる。
【発明を実施するための最良の形態】
【００２６】
以下、本発明の実施形態に係るパチンコ機について図面を参照して説明する。
【００２７】
図１には本発明の一実施形態に係るパチンコ機が示され、図２には本実施形態に係るパチンコ機に適用される内枠、ガラス枠、及び遊技盤が示されている。
【００２８】
図１に示されるように、パチンコ機１０は、パチンコ機１０の外郭を構成するとともにパチンコホールの島設備に設置される矩形状の外枠１２を備えている。外枠１２の前面には矩形額縁状の内枠１４が配置されており（図２参照）、内枠１４は、外枠１２に設けられた一対のヒンジ部１６、１８に左側端部が軸支されて開閉可能に取り付けられている。また外枠１２の前面下部には、化粧パネルとなる下飾り２０が取り付けられている。
【００２９】
内枠１４の前面上部には、ガラス板２２を装着したガラスフレーム２４を窓部２５に備えるガラス枠２６が配置されており、ガラス枠２６は左側端部が内枠１４に軸支されて開閉可能に取り付けられている。また、ガラスフレーム２４に装着されたガラス板２２は、図１の紙面奥行き方向に所定の間隔で互いに平行に配置された一対のガラス板からなる二重構造となっている。このガラス枠２６の裏面側となる内枠１４の上部には、矩形状の開口部２８が設けられている（図２参照）。開口部２８には、交換可能とされた遊技盤１００がセットされており、遊技盤１００は、ガラス枠２６を内枠１４に閉塞した状態でガラス枠２６（ガラス板２２）に覆われるようになっている。
【００３０】
ガラス枠２６の前面には、遊技の進行に応じて点灯又は点滅等し照明による演出効果を生み出す演出用の表示灯１４２がガラス板２２（遊技盤１００の遊技領域）を取り囲むように配置されており、さらに左上隅及び右上隅には、賞球払出エラー及び払出状態エラー等の各種エラーを報知するエラー用の表示灯１４４が配置されている。また、各エラー用の表示灯１４４の内側には、遊技の効果音をステレオ出力するスピーカー１４６Ｌ、１４６Ｒが配設されている。
【００３１】
内枠１４の前面下部には、一般的な上皿及び下皿の機能を兼ね備える打球供給皿としての一体皿３０が配置されている。一体皿３０は、パネル部材３２の左側端部が内枠１４に軸支されて開閉可能に取り付けられており、パネル部材３２の前面には、上部に遊技球を貯える球皿部３４が形成された球皿本体３６が突設されている。
【００３２】
球皿部３４の底面は、正面視にて左側から右側へ下り傾斜しており、その傾斜方向下流側となる左側には、遊技球を１列に整列してパネル部材３２の裏面に配置された球送り装置（図示省略）に送り込むための整列通路が設けられている。パネル部材３２の前面の右側上部には、パチンコ機１０内に設けられた後述する賞球払出装置８６から払い出された賞球が排出される賞球排出口４６が形成されている。この賞球排出口４６から排出された賞球は球皿部３４に貯留され、球皿部３４内を左方向へ流下し整列通路により１列に整列されて球送り装置に送り込まれる。
【００３３】
また、パネル部材３２の前面における左側下部には灰皿３８が設けられ、右側下部には打球の飛距離を調整するための発射ハンドル３９が取り付けられている。
【００３４】
図２に示されるように、内枠１４の前面下部における一体皿３０の裏面側には、遊技盤１００の左下に発射装置４０が配置され、球皿本体３６の後方に位置して、内枠１４に着脱可能に構成された貯球タンク４２が２個のプラスチックファスナー４３によって取り付けられている。これらの発射装置４０及び貯球タンク４２は、一体皿３０を内枠１４に閉塞すると一体皿３０に覆われるようになっている。
【００３５】
貯球タンク４２は、上面が開口した箱型とされ、底面４４が正面視にて左側から右側へ下り傾斜している。底面４４の傾斜方向上流側となる貯球タンク４２の左側面部にはタンク入口９７が形成され（図５参照）、傾斜方向下流側となる貯球タンク４２の前面右側端部には、一体皿３０のパネル部材３２に設けられた賞球排出口４６と対応する位置にタンク出口４５が形成されている。したがって、一体皿３０を内枠１４に閉塞した状態では、貯球タンク４２と一体皿３０の球皿部３４とが、タンク出口４５及び賞球排出口４６を介して連通される。
【００３６】
また、一体皿３０のパネル部材３２裏面における賞球排出口４６の下方位置と、内枠１４前面の下部右側におけるタンク出口４５の下方位置とには、上下方向に移動可能とされたシャッター板がそれぞれ設けられている（図２では内枠１４側のシャッター板５０のみを図示している）。これらのシャッター板は、一体皿３０が閉塞されると各々下方へ移動して（図２に示したシャッター板５０の位置）、タンク出口４５と賞球排出口４６とを連通させ、一体皿３０が開放されると各々上方へ移動して、内枠１４側のシャッター板５０はタンク出口４５の下縁側を、一体皿３０側のシャッター板は賞球排出口４６の下縁側を塞ぐよう構成されている。このシャッター板により、一体皿３０を開放した際は、貯球タンク４２及び球皿部３４から遊技球（賞球）が流出しないようせき止められる。
【００３７】
図３〜図５に示されるように、内枠１４の裏面上部には、島設備の球補給装置から供給される遊技球を貯える貯留タンク８０が取り付けられている。貯留タンク８０は、底面８２が裏面視左側から右側へ向けて下り傾斜されており、右側端部には、遊技球をパチンコ機１０の前後方向（奥行き方向）に２列に整列する球整列通路（排出通路）８４が形成されている。
【００３８】
貯留タンク８０の右側には、賞球払出装置８６が配置されて球導入通路８７が球整列通路８４に接続されている。この球導入通路８７と一体的に設けられたケース８８内には、球払出機構として、球整列通路８４及び球導入通路８７に対応して前後方向に所定の間隔で配列されるとともに位相が異なる２枚のカム板部（スプロケット）を備えたカム軸１３０が収納されている。また、カム軸１３０を回転駆動する駆動源としてのステッピングモータ１３２は、内枠１４の裏面に取り付けられたモータカバー１３４内に収納されており、モータカバー１３４の裏面にケース８８を取り付けると、ステッピングモータ１３２にカム軸８８が連結される（図５では球導入通路８７及びケース８８の図示を省略している）。
【００３９】
また、モータカバー１３４は、図示しないスライド機構により内枠１４の裏面に沿って左右方向（図６の矢印Ａ方向）に所定範囲だけスライドするよう取り付けられており、さらに図３及び図４に示される通常位置では、図示しないロック機構によりその位置にロックされている。
【００４０】
このロック機構によるロックを解除しモータカバー１３４を左右方向へスライドさせると、モータカバー１３４のスライドに伴い、上記の球導入通路８７、ケース８８、カム軸１３０、ステッピングモータ１３２、及びモータカバー１３４を含む賞球払出装置８６全体が、内枠１４の裏面に沿って左右方向へスライドする。
【００４１】
ここで、賞球払出装置８６を右方向へスライドさせると、図６の二点鎖線で示されるように、球導入通路８７は右方向へ移動して球整列通路８４との接続が解除され、それらの間には隙間が形成される（球抜き位置）。また、その位置から賞球払出装置８６を左方向へスライドさせると、図６の実線で示されるように、球導入通路８７は左方向へ移動して球整列通路８４に接続される（賞球払い出し位置）。
【００４２】
図３〜図５に示されるように、賞球払出装置８６の下方には、内枠１４裏面の右側端部に位置して、上下方向に延出された球通路ユニット９０が配置されている。
【００４３】
球通路ユニット９０は、透明樹脂材料による成形品とされ、上部及び中央部が略直線状に、下部が左側へ突出された形状に形成されている。また、上面の右側には、賞球払出装置８６に設けられたカム軸１３０の２枚のカム板部と対応して前後方向に隣接配置された２個の球導入口９４が形成され、下部の左側面には球導入口９４と対応して前後方向に隣接配置された２個の球排出口９６が形成されており、内部には、球導入口９４と球排出口９６とを繋いで上下方向に延出されるとともに前後方向に隣接配置された２本の球通路９８が設けられている。この２本の球通路９８は、球導入口９４と接続された上端部付近から下部までの所定範囲が前後方向に蛇行状に屈曲されており、下部から左方向へ屈曲されて球排出口９６に接続されている。
【００４４】
また球通路ユニット９０には、球通路９８の左側に球抜き通路１９０が隣接して設けられている。球抜き通路１９０の球導入口１９２は、球導入口９４の左側に少し離間して配置されるとともに球導入口９４と同一面に配置されており、球排出口（図示省略）は、球通路ユニット９０の下部の前面（取付面）に形成されている。これらの球導入口１９２及び球排出口を繋いでいる球抜き通路１９０は、上端部が左上側から右下側へ屈曲され、その屈曲部から下側の所定範囲が直線状とされ、さらにその直線状部の下側が左下側へ傾斜した形状とされている。
【００４５】
また、球通路ユニット９０の右側面上端部に突設された位置決め部１７６及び下部の略中央には一対の位置決め孔１７８が形成されており、上端部の略中央にはプラスチックファスナー９２が１個取り付けられ、左右側面の下端部に突設された各取付部１８０にはプラスチックファスナー９２がそれぞれ取り付けられている。
【００４６】
一方、図５に示されるように、内枠１４裏面における球通路ユニット９０の取付部位には、上下に離間して配置された一対の位置決めボス１７２が設けられており、上側の位置決めボス１７２の近傍には取付孔１７４が１個形成され、下側の位置決めボス１７２の左右近傍には取付孔１７４が２個形成されている。さらに、下側の位置決めボス１７２の下方には球抜き口１７５が形成されている。
【００４７】
これにより、球通路ユニット９０の取り付けでは、球通路ユニット９０の各位置決め孔１７８を内枠１４裏面の各位置決めボス１７２に嵌め入れることにより取り付け位置が決められ、その位置決め状態で、各プラスチックファスナー９２の先端に設けられた拡縮部が内枠１４裏面の各取付孔１７４に挿入される。そして、各プラスチックファスナー９２の頭部を押圧し、拡縮部を拡径させて取付孔１７４に係合させると、球通路ユニット９０は内枠１４に固定される。
【００４８】
球通路ユニット９０が内枠１４の裏面に取り付けられると、球通路９８の球導入口９４は賞球払出装置８６の球排出口８９に接続され、球排出口９６は貯球タンク４２の裏面視右側面部に形成されたタンク入口９７（図５参照）に接続される。また、球抜き通路１９０の球導入口１９２は、貯留タンク８０の球整列通路８４と賞球払出装置８６の球導入通路８７との接続部１９４（図６参照）の下方に配置され、球抜き通路１９０の球排出口は球抜き口１７５に接続される。
【００４９】
また、球通路ユニット９０の取り外しでは、各プラスチックファスナー９２を引っ張って拡縮部を縮径させると、拡縮部と取付孔１７４との係合状態が解除され、球通路ユニット９０は内枠１４の裏面から取り外し可能となる。
【００５０】
図３に示されるように、内枠１４裏面の左側端部（正面視右側端部）には、上下方向に延出された施錠装置５２が取り付けられている。施錠装置５２の下部にはシリンダー錠（錠前）５４が設けられており、シリンダー錠５４の鍵孔５６は、内枠１４前面の右下部に設けられた台座５５から露出されている。
【００５１】
施錠装置５２の裏面側における上下端部近傍には、後方へ突出された一対の内枠固定用フック６０Ａ、６０Ｂが設けられている。施錠装置５２の前面側におけるガラス枠２６との対応位置には、一対のガラス枠固定用フック６２Ａ、６２Ｂが設けられており、このガラス枠固定用フック６２Ａ、６２Ｂは、内枠１４前面の右側端部に形成されたスリット６４Ａ、６４Ｂを通して前方へ突出されている。また、施錠装置５２の前面側における一体皿３０との対応位置には、上下方向にスライドする一対の一体皿固定用鍵受け部材６６Ａ、６６Ｂが設けられている。
【００５２】
これにより、内枠１４を外枠１２に閉塞すると、施錠装置５２の内枠固定用フック６０Ａ、６０Ｂが外枠１２の正面視右内側面設けられた一対の鍵受け部（図示省略）に係合し、内枠１４は外枠１２に保持される。ガラス枠２６を内枠１４に閉塞すると、ガラス枠２６裏面の右側端部に取り付けられているガラス枠補強板６８に設けられた一対の鍵受け部７０Ａ、７０Ｂが施錠装置５２のガラス枠固定用フック６２Ａ、６２Ｂに係合し、ガラス枠２６は内枠１４に保持される。また、一体皿３０を内枠１４に閉塞すると、一体皿３０裏面の右側端部に取り付けられている一対のフック（図示省略）が施錠装置５２の一体皿固定用鍵受け部材６６Ａ、６６Ｂに係合し、一体皿３０は内枠１４に保持される。
【００５３】
また、内枠固定用フック６０Ａ、６０Ｂ及びガラス枠固定用フック６２Ａ、６２Ｂは、シリンダー錠５４の鍵孔５６に図示しない鍵を差し込んで所定の方向に回すことにより、それぞれ係合状態が解除され解錠されるようになっている。一体皿固定用鍵受け部材６６Ａ、６６Ｂは、ガラス枠２６を開放すると露出される施錠装置５２の解除レバー７２を押し下げることにより、一体皿固定用鍵受け部材６６Ａ、６６Ｂが下方へスライドして一体皿３０の各フックとの係合状態が解除されるようになっている。
【００５４】
この施錠装置５２により、内枠１４は外枠１２に、ガラス枠２６は内枠１４にそれぞれ施錠されるとともに、一体皿３０は内枠１４にロックされて、それぞれ閉塞状態に固定される。
【００５５】
図２に示されるように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２、内レール１０４によって囲まれた円形状の領域は、遊技球が移動可能な遊技領域１０１とされている。
【００５６】
遊技領域１０１には、液晶ディスプレイを内蔵した特別図柄表示装置や、入賞口、始動口（スタート・チャッカー）、通過入賞口（スルー・チャッカー）、又、大入賞口（アタッカー）を備えた変動入賞装置（特別電動役物）がそれぞれ所定の位置に配置されると共に、遊技領域１０１内を落下する遊技球を所定の経路に誘導する多数の遊技釘等が設けられており（何れも図示省略）、最下位置にアウト口１２４が配置されている。
【００５７】
次に、以上説明した本実施形態に係るパチンコ機１０の作用について説明する。
【００５８】
本実施形態のパチンコ機１０では、内枠１４の裏面上部に設けられた貯留タンク８０に島設備から遊技球が供給されると、貯留タンク８０内へ供給された遊技球は、貯留タンク８０内を裏面視右方向へ流下しながら球詰まりとならないよう球整列通路８４により前後方向に２列に整列され、球導入通路８７を通って賞球払出装置８６のカム軸１３０へ送り込まれる。そして賞球払出装置８６の作動時に、ステッピングモータ１３２が回転駆動しカム軸１３０を回転させると、カム軸１３０の各カム板部によって球導入通路８７の各列から交互に球排出口８９を通り下方へ排出され、球通路部材９０の球導入口９４から球通路部材９０に入り、球通路部材９０内の各球通路９８を通って球排出口９６からタンク入口９７を介し貯球タンク４２内へ排出される。
【００５９】
ここで、球通路ユニット９０内の球通路９８は蛇行状にされているため、球通路９８を流下する遊技球（賞球）の速度が抑えられて球通路９８の下端部に加わる遊技球の落下衝撃は緩和される。さらに、貯球タンク４２内が満杯になり、賞球払出装置８６によって継続して払い出された遊技球が球通路９８に滞留する場合でも、球通路９８の下流側に滞留した遊技球に掛かる上流側の遊技球による圧力は、球通路９８の蛇行形状によって減少されるため、球通路９８あるいは貯球タンク４２内での球詰まり発生が防止される。
【００６０】
さらに、球通路ユニット９０から、図２に示される貯球タンク４２の右側面部に形成されたタンク入口９７を介して貯球タンク４２内へ導入された遊技球（賞球）は、正面視にて左側から右側へ下り傾斜している貯球タンク４２の底面４４上を転動し、タンク出口４５及び賞球排出口４６を介して一体皿３０の球皿部３４へ排出される。そして球皿部３４が遊技球で満杯になると、球皿部３４に貯留しきれない余剰球は貯球タンク４２に貯留される。また、貯球タンク４２の底面４４における最上流部（正面視左側部）には球検出スイッチが設けられており、貯球タンク４２が遊技球で満杯になり、球検出スイッチが遊技球に押されて満杯であることが検出されると、その満杯状態が解消されるまで、賞球の払い出しが一時的に停止する。
【００６１】
また、貯球タンク４２内の遊技球を球抜きする際は、ロック機構による賞球払出装置８６（モータカバー１３４）のロックを解除して右方向へスライドさせ、球抜き位置へ移動させる。これにより、球整列通路８４と球導入通路８７との接続状態が解除されてそれらの間には隙間が形成され（図６参照）、貯球タンク４２内及び賞球払出装置８６内の各遊技球は、球整列通路８４と球導入通路８７との間の隙間から落下し、下方に位置する球抜き通路１９０の球導入口１９２に受け入れられ、球抜き通路１９０を通って球抜き口１７５へ排出される。球抜き完了後には、賞球払出装置８６を左方向へスライドさせて元の位置に戻し、ロック機構によってロックすることにより、賞球払出装置８６は球導入通路８７が球整列通路８４に接続された賞球払い出し位置に固定される。
【００６２】
このように、本実施形態のパチンコ機１０では、賞球払出装置８６を貯留タンク８０に隣接させて配置していることにより、遊技球を球排出口（タンク入口９７）へ案内するための球通路９８を、従来のように分割構成にする必要がなく１つにできるとともに、分割構成された２つの球通路を取り付ける取付ベース（裏機構）等が不要になる。これにより、賞球払出経路を構成する部品の数が削減され、組立性及びメンテナンス性を向上することができる。さらに、球通路ユニット９０はプラスチックファスナー９２によって容易に着脱できるため、組立性及びメンテナンス性がより良好になる。また、球通路ユニット９０は透明樹脂製で球通路９８が視認可能であるため、例えば球通路９８に混入した異物等が原因で通路途中に球詰まりを生じた場合などは、その球詰まり箇所を迅速に特定して対応することができる。
【００６３】
また、賞球払出装置８６は、内枠１４の裏面上部に配置された貯留タンク８０に隣接して設けられるため、内枠１４の裏面においては、遊技盤１００裏面の側方に空きスペースが生じる。これにより、遊技盤１００裏面の部品搭載スペースを拡大することができる。
【００６４】
また、本実施形態では、球通路ユニット９０が球通路９８を２本有することにより、賞球払出装置８６から払い出された遊技球をその２本の球通路９８によって短時間により多く払い出すことができる。これにより、大量の遊技球を払い出す場合などに、その払い出しが完了する（遊技者が取得する）までの時間を短縮できる。
【００６５】
また、本実施形態では、２本の球通路９８をパチンコ機１０（内枠１４）の奥行き方向に沿って配置していることにより、例えば２本の球通路をパチンコ機１０の幅方向に並列的に配置する場合に比べて、内枠１４の裏面における球通路占有面積を縮小できる。これにより、遊技盤１００裏面の部品搭載スペースを更に拡大することができる。
【００６６】
また、本実施形態では、球通路ユニット９０に球抜き通路１９０を設けていることにより、球抜き通路１９０１を別体とする構成に比べて、部品点数が削減され組立性及びメンテナンス性を更に向上することができる。
【００６７】
また、本実施形態では、球通路ユニット９０に設けた球抜き通路１９０を球通路９８よりも貯留タンク８０側に配置していることにより、貯留タンク８０に貯留された遊技球の排出経路を賞球払出装置８６側から球抜き通路１９０側へ切り替える切替機構や分岐通路等の構成を簡素化できる。
【００６８】
以上、本発明を上述した特定の実施形態により詳細に説明したが、本発明はそれに限定されるものではなく、本発明の範囲内にて他の種々の実施形態が可能である。
【００６９】
例えば、上述した実施形態では、２本の球通路９８及び球抜き通路１９０をユニット化して球通路ユニット９０を構成し、その球通路ユニット９０を内枠１４の裏面にプラスチックファスナー９２によって着脱できるよう構成しているが、従来のようなパチンコ機の裏面に設けられる裏機構等に複数の球通路をネジ止め等によって取り付ける場合でも、賞球払出装置を貯留タンクに隣接させて配置することにより、遊技球を球排出口へ案内するための球通路を１つにできるため、分割構成された２つの球通路を取り付ける場合に比べて組立性が良好になる。また同様に、賞球払出装置から払い出された遊技球を複数の球通路によって短時間により多く払い出すことができるとともに、その複数の球通路をパチンコ機の奥行き方向に沿って配置することにより、パチンコ機の裏面における球通路占有面積を縮小することができて、遊技盤裏面の部品搭載スペースを拡大することができる。
【００７０】
また、貯球タンク４２内の遊技球を球抜きするための機構については、上述の実施形態のような、賞球払出装置８６を左右方向へスライドさせるスライド機構以外にも、例えば、球導入通路８７が一体的に設けられたケース８８を、カム軸１３０の軸心を回動中心として図６の時計／反時計回転方向へ所定範囲回動するようモータカバー１３４に取り付け、球抜き時にはケース８８を図６の実線で示した賞球払い出し位置から反時計回転方向へ回転させることにより、球整列通路８４と球導入通路８７との接続状態が解除可能となるような回動機構等を用いることもできる。
【００７１】
また、本発明は、一体皿構成のパチンコ機に限らず上皿及び下皿構成のパチンコ機にも適用することができる。
【図面の簡単な説明】
【００７２】
【図１】本発明の一実施形態に係るパチンコ機を示す正面図である。
【図２】図１のパチンコ機における内枠、ガラス枠、及び遊技盤を示す正面側から見た斜視図である。
【図３】図１のパチンコ機における内枠、ガラス枠、及び遊技盤を示す裏面側から見た斜視図である。
【図４】図１のパチンコ機における内枠、ガラス枠、及び遊技盤を示す裏面側から見た斜視図である。
【図５】図１のパチンコ機における内枠及び遊技盤を示すとともに球通路ユニットが取り外された状態を示す裏面側から見た斜視図である。
【図６】図１のパチンコ機における賞球払出装置を示す裏面図である。
【符号の説明】
【００７３】
１０        パチンコ機
１４        内枠（パチンコ機本体）
８０        貯留タンク（球貯留部材）
８４        球整列通路（球貯留部材）
８６        賞球払出装置（球払出手段）
８７        球導入通路（球払出手段）
８８        ステッピングモータ（球払出手段）
９０        球通路ユニット（球通路部材）
９２        プラスチックファスナー（取付手段）
９７        タンク入口（球排出口）
９８        球通路
１９０        球抜き通路
【図１】
2005218688.tif 000003
【図２】
2005218688.tif 000004
【図３】
2005218688.tif 000005
【図４】
2005218688.tif 000006
【図５】
2005218688.tif 000007
【図６】
2005218688.tif 000008